(57)【要約】【課題】複写装置及び濃度調整プログラムに関し、特に、複写の対象である原稿が特殊原稿であっても、適切な濃度調整を行って出力し得る複写装置及び濃度調整プログラムを提供する。【解決手段】多機能周辺装置１は、カラープレスキャン処理（Ｓ３）により、当該原稿Ｇのカラー画像データを取得し、カラー画像データを構成する各構成画素の色データと、判別基準データとを比較することで、各成分画素の成分属性を特定する（Ｓ６）。その後、多機能周辺装置１は、成分属性毎の構成画素の計数結果に基づいて、各成分属性の構成比率を算出し、算出した成分属性毎の構成比率と、特殊原稿判別基準データとを比較し、当該原稿が特殊原稿であるか否かを判別する（Ｓ１０）。当該原稿が特殊原稿である場合（Ｓ１１：ＹＥＳ）、多機能周辺装置１は、カーボン原稿用ガンマテーブル２２Ｃを設定し、適切な濃度調整を行って、当該原稿Ｇに係る複写物を出力する（Ｓ１６）。【選択図】図６
2008252720.tif 000002
【特許請求の範囲】
【請求項１】
原稿をカラーでスキャンするカラースキャンモード及び当該原稿をモノクロでスキャンするモノクロスキャンモードにより、当該原稿の画像を読取可能な画像読取手段と、
前記画像読取手段により、カラースキャンモードでの原稿のプレスキャンに基づいて取得されるカラー画像データが格納される記憶手段と、
前記記憶手段に格納されたカラー画像データを構成する各画素の色データに基づいて、当該原稿の画像データが、成分属性としての原稿の背景部分を構成する第１成分と、原稿の印字部分を構成する第２成分と、カーボン紙を介して転写された転写部分を構成する第３成分と、に主に区分されるか否かを検出する成分検出手段と、
前記成分検出手段により、当該画像データが前記第１成分、前記第２成分、前記第３成分に主に区分されると検出された場合に、カーボン紙を介して転写された転写部分を有する特殊原稿であると判別する原稿判別手段と、
前記画像読取手段により、当該原稿の画像を前記モノクロスキャンモードでスキャンする際に、前記原稿判別手段により当該原稿が特殊原稿であると判別された場合、前記画像読取手段により読み取られたモノクロ画像データについて、当該モノクロ画像データの各画素の濃度値を、濃度が濃くなるように調整する濃度調整手段と、を備えることを特徴とする複写装置。
【請求項２】
請求項１記載の複写装置において、
前記色データは、
画素を構成する赤色成分を示す赤色成分値と、当該画素を構成する青色成分を示す青色成分値と、当該画素を構成する緑色成分を示す緑色成分値と、からなるヒストグラムであり、
前記背景部分に対応する赤色成分値、青色成分値、緑色成分値の閾値が規定された第１判別基準データと、前記印字部分に対応する赤色成分値、青色成分値、緑色成分値の閾値が規定された第２判別基準データと、前記転写部分に対応する赤色成分値、青色成分値、緑色成分値の閾値が規定された第３判別基準データと、からなる判別基準データが格納された判別基準記憶手段を備え、
前記成分検出手段は、
前記成分検出手段による判別対象である対象画素の色データと、前記第１判別基準データ、第２判別基準データ及び第３判別基準データと、を夫々比較することにより、当該対象画素の成分属性を検出することを特徴とする複写装置。
【請求項３】
請求項２記載の複写装置において、
前記判別基準記憶手段は、
前記第１判別基準データ、第２判別基準データ、第３判別基準データの組み合わせ態様が異なる複数種類の判別基準データを格納していることを特徴とする複写装置。
【請求項４】
請求項２又は請求項３記載の複写装置において、
前記カラー画像データを構成する画素を、前記成分検出手段により検出された各画素の成分属性毎に計数するカウント手段を備え、
前記原稿判別手段は、
前記カウント手段による計数結果に基づいて、当該原稿が特殊原稿であるか否かを判別することを特徴とする複写装置。
【請求項５】
請求項４記載の複写装置において、
前記特殊原稿の第１成分、第２成分、第３成分の構成比率が規定された特殊原稿判別基準データが格納された原稿判別データ記憶手段と、を備え、
前記原稿判別手段は、
前記カウント手段で計数された成分属性毎の計数結果に基づいて、当該画像データにおける成分属性毎の構成比率を算出し、当該画像データにおける構成比率と、前記特殊原稿判別基準データに基づいて、当該原稿が特殊原稿であるか否かを判別することを特徴とする複写装置。
【請求項６】
請求項５記載の複写装置において、
前記特殊原稿判別基準データにおける第１成分、第２成分、第３成分の構成比率は、
前記第２成分の構成比率は、前記第１成分の構成比率よりも小さく、前記第３成分の構成比率は、前記第２成分の構成比率よりも小さいことを特徴とする複写装置。
【請求項７】
請求項４乃至請求項６記載の複写装置において、
前記成分検出手段は、
前記第１成分、第２成分、第３成分の何れにも属さない第４成分を検出し、
前記原稿判別手段は、
当該画像データにおける前記第４成分の構成比率が前記第１成分、第２成分、第３成分の構成比率より大きい場合に、当該原稿は特殊原稿でないと判断することを特徴とする複写装置。
【請求項８】
請求項２乃至請求項７記載の複写装置において、
前記画像読取手段により読み取られ、前記記憶手段に格納された原稿のカラー画像データを構成する各画素の色データに基づいて、当該原稿の画像データを、前記第１成分、前記第２成分、前記第３成分に区分する区分手段と、
前記区分手段により区分された第１成分、第２成分、第３成分の赤色成分値、青色成分値、緑色成分値に基づいて、第１判別基準データ、第２判別基準データ、第３判別基準データからなる判別基準データを生成し、生成された判別基準データを前記判別基準記憶手段に格納する判別基準登録手段と、を備えることを特徴とする複写装置。
【請求項９】
原稿をカラーでスキャンするカラースキャンモード及び当該原稿をモノクロでスキャンするモノクロスキャンモードにより、当該原稿の画像を読取可能な画像読取手段と、前記画像読取手段により取得されたカラー画像データが格納される記憶手段と、を備える複写装置で実行される濃度調整プログラムであって、
前記カラースキャンモードでの画像読取手段による原稿のプレスキャンに基づいて、カラー画像データを前記記憶手段に格納するデータ取得ステップと、
前記記憶手段に格納されたカラー画像データを構成する各画素の色データに基づいて、当該原稿の画像データが、成分属性としての原稿の背景部分を構成する第１成分と、原稿の印字部分を構成する第２成分と、カーボン紙を介して転写された転写部分を構成する第３成分と、に主に区分されるか否かを検出する成分検出ステップと、
前記成分検出ステップにより、当該画像データが前記第１成分、前記第２成分、前記第３成分に主に区分されると検出された場合に、カーボン紙を介して転写された転写部分を有する特殊原稿であると判別する原稿判別ステップと、
前記画像読取手段により、当該原稿の画像を前記モノクロスキャンモードでスキャンする際に、前記原稿判別ステップにより当該原稿が特殊原稿であると判別された場合、前記画像読取手段により読み取られたモノクロ画像データについて、当該モノクロ画像データの各画素の濃度値を、濃度が濃くなるように調整する濃度調整ステップと、を備えることを特徴とする濃度調整プログラム。
【発明の詳細な説明】
【技術分野】
【０００１】
本発明は、複写装置及び濃度調整プログラムに関し、特に、複写の対象である原稿が特殊原稿である場合であっても、適切な濃度調整を行って出力し得る複写装置及び濃度調整プログラムに関するものである。
【背景技術】
【０００２】
従来から、複写装置においては、複写対象である原稿の態様に応じた濃度調整に関する種々の発明がなされている。ここで、複写対象である原稿の一種として、複写式帳票のような特殊原稿が挙げられる。この複写式帳票は、カーボンを介して、一度に複数枚の用紙に対する文字の記入を可能としたものである。当該複写式帳票の場合、複写式帳票の下方に位置する用紙に記入される文字は、一般的には薄く複写される傾向にある。
【０００３】
このような傾向を有する複写式帳票を原稿とした場合、通常の複写装置では、一般的なスライスレベルを用いて記入された文字を認識するため、複写式帳票に転写された薄い文字を認識することができず、適切な濃度調整を行うことができないという事態が生じていた。
【０００４】
上記問題点に対する発明として、特許文献１記載の光学文字読取装置に関するものが知られている。特許文献１記載の光学文字読取装置では、複写式帳票を対象とした場合に、複写式帳票の各ページに付加された識別マークに応じてスライスレベルを適宜変更する。これにより、特許文献１記載の光学文字読取装置は、複写式帳票に転写された薄い文字を認識することができ、もって、適切な濃度調整を行い得る。
【特許文献１】特開平０８−０４４８１８号公報
【発明の開示】
【発明が解決しようとする課題】
【０００５】
しかしながら、この特許文献１記載の光学文字読取装置では、複写式帳票を構成する各ページに「識別マーク」が付加されていることが前提となる。従って、「識別マーク」が付加されていない一般的な複写式帳票に対しては、特許文献１記載の方式を適用することはできず、一般的な複写式帳票の複写において、適切な濃度調整を行うことができないという問題がある。又、カラー印刷された複写式帳票をモノクロで複写する場合には、カラー印刷部分の色の種類によっては、適切な濃度調整を行うことは困難であり、良好な複写結果を得ることができないという問題点があった。
【０００６】
本発明は、前記従来における問題点を解消するためになされたものであり、複写装置及び濃度調整プログラムに関し、特に、複写の対象である原稿が特殊原稿（例えば、複写式帳票）である場合であっても、適切な濃度調整を行って出力し得る複写装置及び濃度調整プログラムを提供することを目的とする。
【課題を解決するための手段】
【０００７】
前記課題を解決するために成された請求項１に係る複写装置は、原稿をカラーでスキャンするカラースキャンモード及び当該原稿をモノクロでスキャンするモノクロスキャンモードにより、当該原稿の画像を読取可能な画像読取手段と、前記画像読取手段により、カラースキャンモードでの原稿のプレスキャンに基づいて取得されるカラー画像データが格納される記憶手段と、前記記憶手段に格納されたカラー画像データを構成する各画素の色データに基づいて、当該原稿の画像データが、成分属性としての原稿の背景部分を構成する第１成分と、原稿の印字部分を構成する第２成分と、カーボン紙を介して転写された転写部分を構成する第３成分と、に主に区分されるか否かを検出する成分検出手段と、前記成分検出手段により、当該画像データが前記第１成分、前記第２成分、前記第３成分に主に区分されると検出された場合に、カーボン紙を介して転写された転写部分を有する特殊原稿であると判別する原稿判別手段と、前記画像読取手段により、当該原稿の画像を前記モノクロスキャンモードでスキャンする際に、前記原稿判別手段により当該原稿が特殊原稿であると判別された場合、前記画像読取手段により読み取られたモノクロ画像データについて、当該モノクロ画像データの各画素の濃度値を、濃度が濃くなるように調整する濃度調整手段と、を備えることを特徴とする。
【０００８】
又、請求項２に係る複写装置は、請求項１記載の複写装置において、前記色データは、画素を構成する赤色成分を示す赤色成分値と、当該画素を構成する青色成分を示す青色成分値と、当該画素を構成する緑色成分を示す緑色成分値と、からなるヒストグラムであり、前記背景部分に対応する赤色成分値、青色成分値、緑色成分値の閾値が規定された第１判別基準データと、前記印字部分に対応する赤色成分値、青色成分値、緑色成分値の閾値が規定された第２判別基準データと、前記転写部分に対応する赤色成分値、青色成分値、緑色成分値の閾値が規定された第３判別基準データと、からなる判別基準データが格納された判別基準記憶手段を備え、前記成分検出手段は、前記成分検出手段による判別対象である対象画素の色データと、前記第１判別基準データ、第２判別基準データ及び第３判別基準データと、を夫々比較することにより、当該対象画素の成分属性を検出することを特徴とする。
【０００９】
そして、請求項３に係る複写装置は、請求項２記載の複写装置において、前記判別基準記憶手段は、前記第１判別基準データ、第２判別基準データ、第３判別基準データの組み合わせ態様が異なる複数種類の判別基準データを格納していることを特徴とする。
【００１０】
又、請求項４に係る複写装置は、請求項２又は請求項３記載の複写装置において、前記カラー画像データを構成する画素を、前記成分検出手段により検出された各画素の成分属性毎に計数するカウント手段を備え、前記原稿判別手段は、前記カウント手段による計数結果に基づいて、当該原稿が特殊原稿であるか否かを判別することを特徴とする。
【００１１】
そして、請求項５に係る複写装置は、請求項４記載の複写装置において、前記特殊原稿の第１成分、第２成分、第３成分の構成比率が規定された特殊原稿判別基準データが格納された原稿判別データ記憶手段と、を備え、前記原稿判別手段は、前記カウント手段で計数された成分属性毎の計数結果に基づいて、当該画像データにおける成分属性毎の構成比率を算出し、当該画像データにおける構成比率と、前記特殊原稿判別基準データに基づいて、当該原稿が特殊原稿であるか否かを判別することを特徴とする。
【００１２】
又、請求項６に係る複写装置は、請求項５記載の複写装置において、前記特殊原稿判別基準データにおける第１成分、第２成分、第３成分の構成比率は、前記第２成分の構成比率は、前記第１成分の構成比率よりも小さく、前記第３成分の構成比率は、前記第２成分の構成比率よりも小さいことを特徴とする。
【００１３】
そして、請求項７に係る複写装置は、請求項４乃至請求項６記載の複写装置において、前記成分検出手段は、前記第１成分、第２成分、第３成分の何れにも属さない第４成分を検出し、前記原稿判別手段は、当該画像データにおける前記第４成分の構成比率が前記第１成分、第２成分、第３成分の構成比率より大きい場合に、当該原稿は特殊原稿でないと判断することを特徴とする。
【００１４】
又、請求項８に係る複写装置は、請求項２乃至請求項７記載の複写装置において、前記画像読取手段により読み取られ、前記記憶手段に格納された原稿のカラー画像データを構成する各画素の色データに基づいて、当該原稿の画像データを、前記第１成分、前記第２成分、前記第３成分に区分する区分手段と、前記区分手段により区分された第１成分、第２成分、第３成分の赤色成分値、青色成分値、緑色成分値に基づいて、第１判別基準データ、第２判別基準データ、第３判別基準データからなる判別基準データを生成し、生成された判別基準データを前記判別基準記憶手段に格納する判別基準登録手段と、を備えることを特徴とする。
【００１５】
そして、請求項９に係る濃度調整プログラムは、原稿をカラーでスキャンするカラースキャンモード及び当該原稿をモノクロでスキャンするモノクロスキャンモードにより、当該原稿の画像を読取可能な画像読取手段と、前記画像読取手段により取得されたカラー画像データが格納される記憶手段と、を備える複写装置で実行される濃度調整プログラムであって、前記カラースキャンモードでの画像読取手段による原稿のプレスキャンに基づいて、カラー画像データを前記記憶手段に格納するデータ取得ステップと、前記記憶手段に格納されたカラー画像データを構成する各画素の色データに基づいて、当該原稿の画像データが、成分属性としての原稿の背景部分を構成する第１成分と、原稿の印字部分を構成する第２成分と、カーボン紙を介して転写された転写部分を構成する第３成分と、に主に区分されるか否かを検出する成分検出ステップと、前記成分検出ステップにより、当該画像データが前記第１成分、前記第２成分、前記第３成分に主に区分されると検出された場合に、カーボン紙を介して転写された転写部分を有する特殊原稿であると判別する原稿判別ステップと、前記画像読取手段により、当該原稿の画像を前記モノクロスキャンモードでスキャンする際に、前記原稿判別ステップにより当該原稿が特殊原稿であると判別された場合、前記画像読取手段により読み取られたモノクロ画像データについて、当該モノクロ画像データの各画素の濃度値を、濃度が濃くなるように調整する濃度調整ステップと、を備えることを特徴とする。
【発明の効果】
【００１６】
即ち、請求項１に係る複写装置は、画像読取手段により、原稿をカラースキャンモードでプレスキャンし、記憶手段に当該原稿のカラー画像データを格納する。そして、当該複写装置は、成分検出手段により、当該画像データが成分属性として第１成分、第２成分、第３成分に主に区分されると検出された場合、原稿判別手段により、当該原稿がカーボン紙を介して転写された部分を含む特殊原稿であると判別する。原稿判別手段により「特殊原稿」と判別されると、当該複写装置は、濃度調整手段によって、画像読取手段によるモノクロスキャンで取得される当該原稿に係るモノクロ画像データの各画素の濃度値を、濃度が濃くなるように調整する。
【００１７】
即ち、請求項１記載の複写装置によれば、原稿に基づく画像データの色データに基づいて、当該原稿がカーボン紙を介して転写された部分を含む特殊原稿であるか否かを判断するので、一般的な特殊原稿（例えば、複写式帳票）も確実に判別することができる。その結果、当該複写装置は、一般的な特殊原稿に対しても適宜濃度調整を行うことができ、もって、ユーザに良好なコピー結果を提供しうる。
【００１８】
そして、請求項２に係る複写装置は、成分検出手段により、対象画素の色データと、第１判別基準データ、第２判別基準データ及び第３判別基準データと、を夫々比較することで、当該対象画素の成分属性を検出する。ここで、対象画素の色データ、第１判別基準データ、第２判別基準データ及び第３判別基準データは、夫々、赤色成分値、青色成分値、緑色成分値により構成されている。従って、原稿判別手段は、赤色成分値、青色成分値、緑色成分値の比較結果に基づいて、特殊原稿を判別しうる。即ち、当該複写装置は、比較的簡単な処理により、特殊原稿を認識し得る。
【００１９】
又、請求項３に係る複写装置では、前記判別基準記憶手段に、第１判別基準データ、第２判別基準データ、第３判別基準データの組み合わせ態様が異なる複数種類の判別基準データが格納されている。即ち、当該複写装置では、多様な種類（例えば、所定のフォーマットで予め印字され、その印字部分の色の異なる複写式帳票等）の特殊原稿を検出することができ、様々な特殊原稿に対する適切な濃度調整を行い得る。
【００２０】
そして、請求項４に係る複写装置では、原稿判別手段は、前記カウント手段によって、カラー画像データを構成する画素を各画素の成分属性毎に計数した計数結果に基づいて、当該原稿が特殊原稿であるか否かを判別する。即ち、当該複写装置は、原稿に基づくカラー画像データにおける成分属性の傾向に基づいて、特殊原稿であるか否かを判別しうる。これにより、当該複写装置は、原稿判別手段による特殊原稿の判別精度を向上させることができる。
【００２１】
又、請求項５に係る複写装置では、原稿判別手段により、カウント手段で計数された成分属性毎の計数結果に基づいて、当該画像データにおける成分属性毎の構成比率を算出し、当該画像データにおける構成比率と、原稿判別データ記憶手段に格納された特殊原稿判別基準データに基づいて、当該原稿が特殊原稿であるか否かを判別する。即ち、当該複写装置は、特殊原稿判別基準データによって示される第１成分、第２成分、第３成分の構成比率と、画像データにおける第１成分、第２成分、第３成分の構成比率を比較することで特殊原稿であるか否かを判断するので、より精度よく、特殊原稿を判別しうる。
【００２２】
そして、請求項６に係る複写装置では、特殊原稿判別基準データにおける第１成分、第２成分、第３成分の構成比率は、第２成分の構成比率が、第１成分の構成比率よりも小さく、第３成分の構成比率が、第２成分の構成比率よりも小さくなるように規定されている。
即ち、当該画像データの構成比率が、背景成分、印字成分、転写部分の順に小さくなるように構成されているか否かを基準に、特殊原稿であるか否かを判別する。つまり、一般的な特殊原稿における背景成分、印字成分、転写部分の構成比率に対応して、特殊原稿であるか否かの判断が行われるので、より精度良く特殊原稿を判別しうる。
【００２３】
又、請求項７に係る複写装置では、画像データにおいて、第１成分、第２成分、第３成分の何れにも属さない第４成分の構成比率が第１成分、第２成分、第３成分の構成比率より大きい場合に、当該原稿は特殊原稿でないと判断する。これにより、特殊原稿とは異なる種類の原稿（例えば、写真画像を含む原稿）を容易且つ確実に判別することができる。
【００２４】
そして、請求項８に係る複写装置は、区分手段により、画像読取手段により読み取られた原稿のカラー画像データに係る各画素の色データに基づいて、第１成分、第２成分、第３成分に区分する。そして、当該複写装置は、判別基準登録手段により、区分手段により区分された第１成分、第２成分、第３成分の赤色成分値、青色成分値、緑色成分値に基づいて、第１判別基準データ、第２判別基準データ、第３判別基準データからなる判別基準データを生成し、当該判別基準データを判別基準記憶手段に格納する。
【００２５】
即ち、当該複写装置によれば、ユーザは、判別基準記憶手段に格納されていない判別基準データを新たに登録することができる。これにより、当該複写装置は、判別基準記憶手段に判別基準データが記憶されていない（即ち、判別基準記憶手段にその時点で格納されている判別基準データでは、特殊原稿と判別できない）ような特殊原稿であっても、判別基準データを新規に登録することで、特殊原稿として判別することができ、当該特殊原稿に対する濃度調整を的確に行い得る。
【００２６】
更に、請求項９に係る濃度調整プログラムは、画像読取手段と、記憶手段と、を備える複写装置で実行されることで、請求項１に係る複写装置と同様の効果を発揮させることができる。即ち、当該濃度調整プログラムによれば、原稿に基づく画像データの色データに基づいて、当該原稿がカーボン紙を介して転写された部分を含む特殊原稿であるか否かを判断するので、一般的な特殊原稿（例えば、複写式帳票）も確実に判別することができる。その結果、当該複写装置は、一般的な特殊原稿に対しても適宜濃度調整を行うことができ、もって、ユーザに良好なコピー結果を提供しうる。
【発明を実施するための最良の形態】
【００２７】
以下、本発明に係る複写装置及び濃度調整プログラムを、多機能周辺装置１に具体化した実施形態について、図面を参照しつつ詳細に説明する。図１は、本実施形態における多機能周辺装置１（「ＭＦＰ（Multi  Function  Peripheral）若しくは（Multi  Function  Printer）」ともいう）の外観斜視図である。又、図２は、原稿カバー８が開かれた状態の多機能周辺装置１の外観斜視図である。
【００２８】
図１に示すように、多機能周辺装置１は、下部に設けられたプリンタ２と、上部に設けられたスキャナ３と、スキャナ３の正面側に設けられた操作パネル４とを一体的に備え、プリンタ機能、スキャナ機能、コピー機能及びファクシミリ機能を有する。
【００２９】
多機能周辺装置１は、コンピュータ（図示せず）と接続されており、当該コンピュータから送信された画像データや文書データに基づいて、記録用紙（被記録媒体）に画像や文書を記録しうる。又、多機能周辺装置１は、デジタルカメラ等の外部機器との接続により、デジタルカメラ等の外部機器から出力される画像データを記録用紙に記録することも可能である。尚、当該多機能周辺装置１においては、メモリカード等の各種記憶媒体を装填して、その記憶媒体に記憶された画像データ等を記録用紙に記録することも可能である。
【００３０】
スキャナ３は、ＦＢＳ（Flatbed  Scanner）として機能する原稿読取台６に対して、原稿カバー８が、背面側の蝶番を支点として開閉自在に取り付けられている（図２参照）。
原稿カバー８には、自動原稿搬送機構７（ＡＤＦ：Auto  Document  Feeder）が配設されている。又、原稿カバー８の裏側には、原稿押さえ１９が設けられている。原稿押さえ１９は、少なくとも片面が白色に形成された板状の部材であり、白色面が下向きに固定されている（図２参照）。このスキャナ３は、本発明における画像読取手段として機能する。
【００３１】
自動原稿搬送機構７は、原稿トレイ９から原稿排出トレイ１０へ原稿搬送路を通じて原稿を搬送する機構である。自動原稿搬送機構７には、原稿を取り込む際に原稿の先端を検出する原稿先端センサ（図示なし）が配設されている。多機能周辺装置１においては、当該原稿先端センサにより検出された原稿の先端を基準位置として、原稿の搬送制御が行なわれる。
【００３２】
一方、原稿読取台６の上面は大きく開口されており、当該開口部にプラテンガラス１２が嵌め込まれている。プラテンガラス１２上面の一端（図２では、左側）に、プラテンガラス１２の上面に原稿を載置する際に、原稿の一辺を当接させる原稿ガイド１６が設けられている。
そして、原稿読取台６の内部には、画像読取ユニット３Ａ（図３参照）が移動可能に配設されている。画像読取ユニット３Ａは、副走査方向（Ｘ方向）に往復移動可能に設けられている。ここで、副走査方向Ｘと垂直な方向（Ｙ方向）を主走査方向という。
又、原稿読取台６の内部には、画像読取ユニット３Ａに対する支持部材及び画像読取ユニット３Ａの駆動機構等が配設されている。尚、画像読取ユニット３Ａについて、詳細は後述する。
【００３３】
このように構成されたスキャナ３をＦＢＳ（Flatbed  Scanner）として使用する場合は、原稿カバー８を開いてプラテンガラス１２上に原稿を載置し、原稿カバー８を閉じることで当該原稿を固定する。原稿は、プラテンガラス１２と原稿押さえ１９との間に挟持されることで固定される。読取開始指令が入力されると、画像読取ユニット３Ａは、プラテンガラス１２の裏面に沿って副走査方向Ｘに走査され、原稿の画像が読み取られる。
【００３４】
この点、自動原稿搬送機構７を使用し、原稿を自動搬送させて読み取る場合は、自動原稿搬送機構７による原稿の搬送過程において、原稿が原稿読取台６上の読取面１３を通過する。この時、当該読取面１３の下方には、画像読取ユニット３Ａが位置している。従って、原稿の搬送過程において、原稿が読取面１３を通過する時点で、画像読取ユニット３Ａにより、当該原稿の画像データが読み取られる。自動原稿搬送機構７による画像読み取りは、原稿カバー８が原稿読取台６に対して閉じられた状態で行われる。
【００３５】
プリンタ２は、スキャナ３で読み取られた画像データ或いは外部入力された画像データに基づいて、選択的にインク滴を吐出することによって、記録用紙上に画像を記録する所謂インクジェット方式の画像記録装置（インクジェット記録装置）である。上述したように、このプリンタ２は、スキャナ３の下方に配設されている。
【００３６】
多機能周辺装置１の正面側（即ち、プリンタ２の正面側）には、開口５が形成されている。開口５内には、給紙トレイ１４及び排紙トレイ１５が、完全に内包されるように設けられている。給紙トレイ１４と排紙トレイ１５は上下二段となるように配設されており、上段に排紙トレイ１５が設けられ、その下方に給紙トレイ１４が設けられている。
【００３７】
図１に示すように、多機能周辺装置１の正面側には、操作パネル４が設けられている。操作パネル４は、プリンタ２やスキャナ３を操作するための操作手段であり、操作キー４０と、ＬＣＤ４１と、を備えている。
操作キー４０には、十字キーやテンキーなどが設けられている。従って、使用者は、操作パネル４を用いて、所望の指令を入力することができる。所定の指令が入力されると、多機能周辺装置１では、当該入力指令に基づいて、各種動作制御が行われる。
そして、ＬＣＤ４１は、所謂カラー液晶ディスプレイであり、後述する設定画面等が表示される。設定画面等の詳細については後述する。
【００３８】
開口５の上側には、接続パネル７０が設けられている。接続パネル７０の左端側には、ＵＳＢ端子７１が配設されている。ＵＳＢ端子７１は、外部機器とＵＳＢ接続することにより当該外部機器と多機能周辺装置１とを通信可能に接続するコネクタ端子である。
また、接続パネル７０の右端側には、スロット部７２が配設されている。スロット部７２は、カード型メモリを装填可能な複数のカードスロットが設けられている。従って、多機能周辺装置１においては、当該カードスロットにカード型メモリを装填すると、カード型メモリの記憶内容を読み出すことが可能である。
【００３９】
次に、多機能周辺装置１に係るスキャナ３の概略について説明する。図３は、スキャナ３の構成を概略的に示す説明図である。
画像読取ユニット３Ａは、ＣＩＳ方式により原稿を読み取るものである。そして、画像読取ユニット３Ａは、ＬＥＤ３Ｂ、導光体３Ｃ、導光体３Ｄ、撮像素子３Ｅを一ライン分、主走査方向Ｙに沿って備えており、当該画像読取ユニット３Ａは、副走査方向Ｘに往復移動可能に配設されている。
【００４０】
画像読取ユニット３Ａを構成するＬＥＤ３Ｂは、光を照射する光源として機能する。そして、導光体３Ｃは、原稿Ｇの読取部分に光を収束させる。そして、撮像素子３Ｅは、受光した光の強度に応じて電圧を出力する。又、導光体３Ｄは、原稿Ｇから反射された反射光を撮像素子３Ｅに集光させる。
【００４１】
プラテンガラス１２の上面に原稿Ｇを載置して、操作キー４０の原稿読み取りボタンが押下されると、画像読取ユニット３Ａが原稿Ｇの読み取り開始位置に搬送され、原稿Ｇの読み取りが開始される。まず、ＬＥＤ３Ｂが点灯され、光が照射される。その光は、導光体３Ｃにより経路が変更され、照射光Ｓとして撮像素子３Ｅの上方に向かって照射される。原稿Ｇ（プラテンガラス１２）の表面で反射された光のうち、撮像素子３Ｅに向かって反射する反射光Ｒは、導光体３Ｄにより集光され、撮像素子３Ｅにより受光される。撮像素子３Ｅは、ＣＭＯＳセンサなどにより構成され、受光した光の強度に応じて電圧値を出力し、その電圧値は、ＡＳＩＣ３Ｆに入力される。撮像素子３Ｅは、複数の素子が直線上（主走査方向Ｙ）に配設されたものであり、一の素子が画像データの一ラインの一の画素を形成する。原稿Ｇの一ライン分が読み取られると、画像読取ユニット３Ａは、次の一ラインを読み取るために副走査方向Ｘに所定量搬送され、次の一ライン分の読み取りが行われる。この一ライン分の読み取りと所定量の搬送とが繰り返され、原稿Ｇの全域の読み取りが行われる。尚、搬送される所定量は、読み取りに際して設定される解像度等によって適宜設定される。
【００４２】
ＡＳＩＣ３Ｆは、各撮像素子３Ｅから入力された電圧値を画像データとして出力させるために設計された集積回路である。具体的には、ＡＳＩＣ３Ｆは、各撮像素子３Ｅより入力された電圧値をそれぞれ１６ビットの数値データに変換し、各種のデータ補正を行った後、画像データとして出力する。ここで、撮像素子３Ｅの一の素子に対応する色データ（Ｒ値、Ｇ値、Ｂ値）は、１６ビットの数値で形成される。
そして、ＡＳＩＣ３Ｆから出力された画像データは、バスライン２５を介して、ＲＡＭ２３（図４参照）の画像メモリ２３Ａに書き込まれ、画像データとして記憶される。
【００４３】
次に、本実施形態に係る多機能周辺装置１の制御系構成について説明する。図４は、多機能周辺装置１の電気的構成を示したブロック図である。
図４に示すように、多機能周辺装置１は、ＣＰＵ２１、ＲＯＭ２２、ＲＡＭ２３、ＥＥＰＲＯＭ２４を備えている。そして、ＣＰＵ２１、ＲＯＭ２２、ＲＡＭ２３、ＥＥＰＲＯＭ２４は、バスライン２５を介して、プリンタ２、スキャナ３、ＮＣＵ３１（ネットワーク・コントロール・ユニット）、モデム３２、操作キー４０、ＬＣＤ４１、ＵＳＢ端子７１、スロット部７２、アンプ７３、スピーカ７４と相互に接続されている。即ち、当該多機能周辺装置１は、ＣＰＵ２１、ＲＯＭ２２、ＲＡＭ２３により、各種機能（即ち、プリンタ機能、スキャナ機能、コピー機能及びファクシミリ機能）を実現すべく制御される。
【００４４】
つまり、ＣＰＵ２１は、ＲＯＭ２２、ＲＡＭ２３、ＥＥＰＲＯＭ２４に記憶されるデータテーブルやプログラム、ＮＣＵ３１を介して送受信される各種信号に従って、バスライン２５により接続された各部を制御する。従って、ＣＰＵ２１、ＲＯＭ２２、ＲＡＭ２３、ＥＥＰＲＯＭ２４は、後述する特殊原稿複写・登録処理プログラムを実行することにより、本発明における成分検出手段、原稿判別手段、濃度調整手段、カウント手段、区分手段、判別基準登録手段として機能する。
【００４５】
ＲＯＭ２２は、各種制御プログラムやデータテーブルが記憶された書換不能なメモリである。具体的には、ＲＯＭ２２には、制御プログラム２２Ａと、通常ガンマテーブル２２Ｂと、カーボン原稿用ガンマテーブル２２Ｃと、が記憶されている。ＲＯＭ２２には、制御プログラム２２Ａの一つとして、後述する特殊原稿複写・登録処理プログラム（図６参照）が記憶されている。
尚、カーボン原稿は、複写式帳票に代表される特殊原稿の一例である。
【００４６】
通常ガンマテーブル２２Ｂは、原稿コピーを行う場合に、画素の濃度値を変更しない変換テーブルであり、カーボン原稿用ガンマテーブル２２Ｃは、画素の濃度値を濃度が濃くなるように変更する変換テーブルである。通常ガンマテーブル２２Ｂ、カーボン原稿用ガンマテーブル２２Ｃは、後述する特殊原稿複写・登録処理プログラム（図６参照）において、原稿Ｇが「特殊原稿」であるか否かの判断結果に基づいて、使い分けられる。
尚、この通常ガンマテーブル２２Ｂ、カーボン原稿用ガンマテーブル２２Ｃの詳細については、既に公知であるため、詳細な説明は省略する。
【００４７】
ＲＡＭ２３は、各種データを記憶するための書換可能なメモリである。このＲＡＭ２３には、画像メモリ２３Ａ等の各種のメモリが設けられている。画像メモリ２３Ａは、スキャナ３により読み取られた原稿の画像データ等を記憶するメモリである。
後述する特殊原稿複写・登録処理プログラム（図６参照）において、原稿Ｇが「特殊原稿」であるか否かを判定する際には、スキャナ３により読み込まれた画像の画像データが、画像メモリ２３Ａに記憶される。従って、この画像メモリ２３Ａは、本発明における記憶手段として機能する。
【００４８】
そして、ＥＥＰＲＯＭ２４は、記憶内容を自由に書き込むことが可能な記憶手段である。このＥＥＰＲＯＭ２４は、ＲＡＭ２３と異なり、多機能周辺装置１に対する電源供給が遮断された場合であっても、記憶内容を保持しうる。
そして、ＥＥＰＲＯＭ２４には、判別基準データ記憶エリア２４Ａと、特殊原稿判別基準データ記憶エリア２４Ｂと、が形成されている。
【００４９】
判別基準データ記憶エリア２４Ａには、後述する特殊原稿複写・登録処理プログラム（図６参照）において、画像データを構成する各画素が属する成分属性を判別する際に用いられる判別基準データが記憶されている。そして、判別基準データ記憶エリア２４Ａには、図８に示すように、複数種類の判別基準データが格納されている。これらの判別基準データの詳細については、後に詳細に説明する。
【００５０】
又、多機能周辺装置１においては、特殊原稿複写・登録処理プログラム（図６参照）を実行することにより、ユーザが独自に判別基準データを登録することができる（Ｓ１８）。従って、ユーザが独自に登録した判別基準データも、この判別基準データ記憶エリア２４Ａに格納される。従って、この判別基準データ記憶エリア２４Ａは、本発明における判別基準記憶手段として機能する。
【００５１】
特殊原稿判別基準データ記憶エリア２４Ｂには、スキャナ３で読み取られた画像データに対応する原稿Ｇが「特殊原稿（例えば、カーボン紙による複写が行われた原稿）」であるか否かを判別する際（Ｓ１０）に用いられる特殊原稿判別基準データが記憶されている。従って、この特殊原稿判別基準データ記憶エリア２４Ｂは、本発明における原稿判別データ記憶手段として機能する。この特殊原稿判別基準データの詳細については、後に図面を参照しつつ詳細に説明する。
【００５２】
ＮＣＵ３１は、電話網（図示せず）に対するダイヤル信号の送出や、電話網からの呼出信号の応答等の動作を行う。モデム３２は、ＮＣＵ３１を介して、画像データを変調及び復調し、相手ファクシミリ装置（図示せず）へ伝送すると共に、伝送制御用の各種手順信号を送受信する。ＵＳＢ端子７１は、コンピュータとＵＳＢケーブル（図示せず）を介してデータの送受信を行う既知の回路である。アンプ７３は、当該アンプ７３に接続されたスピーカ７４を鳴動して、呼出音などを出力するための回路である。
【００５３】
次に、原稿Ｇの一つである特殊原稿の構成について説明する。図５は、特殊原稿の構成を示す説明図である。
図５に示すように、特殊原稿（例えば、複写式帳票におけるカーボンコピーされた帳票）には、背景部分、印字部分、複写部分が存在する。背景部分は、当該原稿Ｇの地色の部分であり、何等の印字や記入も行われていない部分である。この図５に示す特殊原稿の場合には、当該特殊原稿の地色である「白色」部分が背景部分に該当する。
【００５４】
そして、印字部分とは、当該原稿Ｇに既に印字が施されている部分である。例えば、図５に示す特殊原稿の場合には、日付記入欄、氏名記入欄及び特殊原稿中の表の罫線が「印字部分」に該当する。そして、この図５に示す原稿Ｇの場合、当該印字部分は「赤色」で印字されているものとする。
【００５５】
又、複写部分は、カーボン紙を介して、カーボン紙に係るインクが転写され、所謂、カーボンコピーが行われた部分である。図５に示す場合においては、氏名記入欄に記入された「氏名」や、特殊原稿中の表における「記入部分」が複写部分に該当する。
カーボン紙の多くは、青又は赤などのインクが塗布されている。従って、複写部分には、カーボンコピーに用いられたカーボン紙に対応するインク（青又は赤など）が付着することになる。そして、図５に示す場合、当該複写部分は、「青色」のインクで記入内容が複写されているものとする。
【００５６】
次に、本実施形態に係る多機能周辺装置１において実行される特殊原稿複写・登録処理プログラムについて、図面を参照しつつ詳細に説明する。図６は、特殊原稿複写・登録処理プログラムのフローチャートである。
尚、この特殊原稿複写・登録処理プログラムの実行開始に際し、原稿Ｇは、原稿読取台６上にセットされているものとする。
【００５７】
特殊原稿複写・登録処理プログラムの実行が開始されると、ＣＰＵ２１は、先ず、判別基準データの登録であるか否かを判断する（Ｓ１）。具体的には、ＣＰＵ２１は、ＬＣＤ４１に「判別基準データの登録を実行するか否か」を問う表示を行い、操作キー４０の操作に基づいて、Ｓ１の判断を行う。
【００５８】
この判別基準データの登録は、上記判別基準データ記憶エリア２４Ａにユーザが複写しようとする原稿に対応する判別基準データが存在しない場合に、当該原稿に係る複写に関し、適切な濃度調整を行う為に実行される。尚、この点については、後に詳細に説明する。
【００５９】
操作キー４０の操作に基づいて、判別基準データの登録を実行すると判断された場合（Ｓ１：ＹＥＳ）、ＣＰＵ２１は、判別基準データの登録実行を示す登録フラグをＲＡＭ２３に格納し（Ｓ２）、カラープレスキャン処理（Ｓ３）に処理を移行する。一方、判別基準データの登録を実行しないと判断された場合（Ｓ１：ＮＯ）、ＣＰＵ２１は、複写処理を行うと判断し、そのまま、カラープレスキャン処理（Ｓ３）に処理を移行する。
【００６０】
Ｓ３に移行すると、ＣＰＵ２１は、カラープレスキャン処理を実行する。このカラープレスキャン処理（Ｓ３）では、ＣＰＵ２１は、スキャナ３をフルカラーモードで駆動し、原稿読取台６にセットされている原稿Ｇから、カラー画像データを取得する。取得したカラー画像データを画像メモリ２３Ａに格納した後、ＣＰＵ２１は、Ｓ４に処理を移行する。
【００６１】
Ｓ４に移行すると、ＣＰＵ２１は、画像メモリ２３Ａに格納されているカラー画像データを構成する画素（以下、構成画素という）から、一の画素を「対象画素」に特定する。構成画素から「対象画素」を特定した後、ＣＰＵ２１は、Ｓ５に処理を移行する。
【００６２】
Ｓ５においては、ＣＰＵ２１は、色データ取得処理を実行する。この色データ取得処理（Ｓ５）では、ＣＰＵ２１は、当該対象画素の色を解析し、色の三原色（即ち、赤色、緑色、青色）の成分毎に解析結果をヒストグラムとして出力する。尚、赤色成分の解析結果は「Ｒ値」のヒストグラムとして出力され、緑色成分の解析結果は「Ｇ値」のヒストグラムとして出力される。そして、青色成分の解析結果は、「Ｂ値」のヒストグラムとして出力される。そして、本実施形態に係る色データは、「Ｒ値」のヒストグラム、「Ｇ値」のヒストグラム、「Ｂ値」のヒストグラムに基づいて構成される。
【００６３】
ここで、図５に示す特殊原稿に対して、色データ取得処理（Ｓ５）を実行した場合について説明する。図７は、当該特殊原稿に対する色データの解析結果の一例を示す説明図である。
上述したように、当該特殊原稿の背景部分は「白色」である。従って、対象画素が当該特殊原稿の背景部分である場合には、図７に示すように、何れも「輝度：２５５」近傍にピークを有する「Ｒ値」「Ｇ値」「Ｂ値」のヒストグラムが解析結果となり、当該解析結果に基づく色データが出力される。
【００６４】
そして、図５に示す特殊原稿の印字部分は「赤色」で印字されている。従って、対象画素が当該特殊原稿の印字部分である場合には、図７に示すように、「輝度：２５５」近傍にピークを有する「Ｒ値」のヒストグラムと、「輝度：６０」近傍にピークを有する「Ｇ値」「Ｂ値」のヒストグラムが解析結果となり、当該解析結果に基づく色データが出力される。
【００６５】
又、図５に示す特殊原稿の複写部分には、カーボン紙の「青色」インクが転写されている。従って、対象画素が当該特殊原稿の印字部分である場合、「輝度：２５５」近傍にピークを有する「Ｂ値」のヒストグラムと、「輝度：１２０」近傍にピークを有する「Ｒ値」「Ｇ値」のヒストグラムが解析結果となり、当該解析結果に基づく色データが出力される。
【００６６】
このようにして、「Ｒ値」「Ｇ値」「Ｂ値」に基づく対象画素の色データを取得した後、ＣＰＵ２１は、成分属性判別処理（Ｓ６）に処理を移行する。この成分属性判別処理（Ｓ６）においては、判別基準データ記憶エリア２４Ａに格納され、現在設定されている判別基準データと、色データ取得処理（Ｓ５）で取得した対象画素の色データに基づいて、当該対象画素の成分属性を判別する処理である。
【００６７】
尚、本実施形態における成分属性は、「背景成分」「印字成分」「複写成分」「対象外成分」の４種類である。「背景成分」「印字成分」「複写成分」は、夫々、上述した「背景部分」「印字部分」「複写部分」を構成する画素成分であることを示す成分属性である。そして、「対象外成分」とは、「背景部分」「印字部分」「複写部分」の何れにも該当しない画素成分であることを示す成分属性である。
【００６８】
ここで、判別基準データの内容及び、判別基準データ記憶エリア２４Ａの記憶内容について、図面を参照しつつ詳細に説明する。上述したように、判別基準データ記憶エリア２４Ａには、複数種類の判別基準データが記憶されている（図８参照）。
先ず、当該判別基準データ記憶エリア２４Ａに格納されている「判別基準データ（Ａ）」を例として、判別基準データの内容について、詳細に説明する。図９は、「判別基準データ（Ａ）」の詳細な内容を示す説明図である。
【００６９】
図９に示すように、判別基準データは、「背景成分判別基準データ」「印字成分判別基準データ」「複写成分判別基準データ」から構成されている。そして、「背景成分判別基準データ」「印字成分判別基準データ」「複写成分判別基準データ」は、夫々、「Ｒ値」「Ｇ値」「Ｂ値」に関する閾値に基づく条件が規定されている。
【００７０】
例えば、図５の特殊原稿に対応する「判別基準データ（Ａ）」の場合、「背景成分判別基準データ」において、「Ｒ値：輝度２００より大きい」「Ｇ値：輝度２００より大きい」「Ｂ値：輝度２００より大きい」という条件が規定されている。
従って、対象画素の色データにおける「Ｒ値」「Ｇ値」「Ｂ値」が、「背景成分判別基準データ」における「Ｒ値」「Ｇ値」「Ｂ値」の条件を全て満たす場合、当該対象画素は、「背景成分」に属すると判別される。
【００７１】
そして、「判別基準データ（Ａ）」の「印字成分判別基準データ」では、「Ｒ値：輝度２００より小さい」「Ｇ値：輝度１００より小さい」「Ｂ値：輝度１００より小さい」という条件が規定されている。
従って、対象画素の色データにおける「Ｒ値」「Ｇ値」「Ｂ値」が、「印字成分判別基準データ」における「Ｒ値」「Ｇ値」「Ｂ値」の条件を全て満たす場合、当該対象画素は、「印字成分」に属すると判別される。
【００７２】
又、「判別基準データ（Ａ）」の「複写成分判別基準データ」では、「Ｒ値：輝度１５０より小さい」「Ｇ値：輝度１５０より小さい」「Ｂ値：輝度２００より大きい」という条件が規定されている。
従って、対象画素の色データにおける「Ｒ値」「Ｇ値」「Ｂ値」が、「複写成分判別基準データ」における「Ｒ値」「Ｇ値」「Ｂ値」の条件を全て満たす場合、当該対象画素は、「複写成分」に属すると判別される。
【００７３】
尚、図８に示すように、判別基準データ記憶エリア２４Ａには、複数種類の判別基準データが記憶されている（図８参照）。この判別基準データ記憶エリア２４Ａに格納されている「判別基準データ（Ｂ）」等は、夫々、異なる特殊原稿に対応するように規定された判別基準データであり、上述した「判別基準データ（Ａ）」と同様の構成である。
【００７４】
例えば、「判別基準データ（Ｂ）」は、「背景部分」が「白色」、「複写部分」が「青色」であり、「印字部分」も「青色」である特殊原稿に対応する判別基準データである。従って、この「判別基準データ（Ｂ）」の場合、「背景成分判別基準データ」「複写成分判別基準データ」は、上述の「判別基準データ（Ａ）」と同一であるが、「印字成分判別基準データ」の内容（即ち、「Ｒ値」「Ｇ値」「Ｂ値」の閾値に基づく条件）は、上述の「判別基準データ（Ａ）」と相違する。具体的には、「判別基準データ（Ｂ）」の「印字成分判別基準データ」の内容は、当該特殊原稿の印字成分の色「青色」に対応した条件が設定されている。
これにより、「判別基準データ（Ｂ）」を判別基準データとして設定することにより、当該特殊原稿であっても、対象画素の成分属性を判別しうる。
【００７５】
成分属性判別処理（Ｓ６）においては、ＣＰＵ２１は、対象画素の色データと、現在設定されている判別基準データとを比較することにより、当該対象画素の成分属性を「背景成分」「印字成分」「複写成分」「対象外成分」の何れかに判別する。対象画素の成分属性を判別した後、ＣＰＵ２１は、構成画素数計数処理（Ｓ７）に処理を移行する。
尚、判別基準データにおける「背景成分判別基準データ」「印字成分判別基準データ」「複写成分判別基準データ」と比較した結果、対象画素が「背景成分」「印字成分」「複写成分」の何れにも属さないと判別された場合には、当該対象画素の成分属性は、「対象外成分」と判別される。
【００７６】
構成画素数計数処理（Ｓ７）では、ＣＰＵ２１は、「背景成分」「印字成分」「複写成分」「対象外成分」の各成分属性単位で、各成分属性に属する画素数を計数する（図１０参照）。具体的には、ＣＰＵ２１は、成分属性判別処理（Ｓ６）の判別結果に基づいて、当該対象画素の成分属性の計数結果に「１」を加算する。構成画素数計数処理（Ｓ７）を終了すると、ＣＰＵ２１は、Ｓ８に処理を移行する。
【００７７】
Ｓ８に移行すると、ＣＰＵ２１は、カラープレスキャン処理（Ｓ３）で取得したカラー画像データを構成する全ての構成画素について、Ｓ４〜Ｓ７の処理を終了したか否かを判断する。全ての構成画素に対する処理を終了している場合（Ｓ８：ＹＥＳ）、ＣＰＵ２１は、Ｓ９に処理を移行する。一方、未だ全ての構成画素に対する処理を終了していない場合（Ｓ８：ＮＯ）、ＣＰＵ２１は、Ｓ４に処理を移行する。これにより、多機能周辺装置１は、カラー画像データを構成する未だ未処理の画素を「対象画素」としたＳ５〜Ｓ７の処理を実行することができる。
【００７８】
Ｓ９に移行すると、ＣＰＵ２１は、登録フラグが有るか否かを判断する。具体的には、ＣＰＵ２１は、ＲＡＭ２３を参照し、Ｓ２において格納される「登録フラグ」が存在するか否かを判断する。登録フラグが存在する場合（Ｓ９：ＹＥＳ）、ＣＰＵ２１は、当該原稿Ｇに対応する判別基準データを生成すべく、判別基準データ生成処理（Ｓ１７）に処理を移行する。一方、登録フラグがＲＡＭ２３に格納されていない場合（Ｓ９：ＮＯ）、ＣＰＵ２１は、原稿種類判別処理（Ｓ１０）に処理を移行する。
【００７９】
Ｓ１０においては、ＣＰＵ２１は、原稿種類判別処理を実行する。この原稿種類判別処理（Ｓ１０）においては、ＣＰＵ２１は、構成画素数計数処理（Ｓ７）の計数結果に基づいて、「背景成分」「印字成分」「複写成分」「対象外成分」の夫々の構成比率（カラー画像データの全構成画素数に対する当該成分属性に属する画素数の比率）を算出する。そして、ＣＰＵ２１は、算出した成分属性毎の構成比率と、特殊原稿判別基準データを比較し、当該原稿が特殊原稿であるか否かを判別する。
【００８０】
ここで、特殊原稿判別基準データの内容について、図面を参照しつつ詳細に説明する。図１１は、特殊原稿判別基準データの内容に関する説明図である。
図１１に示すように、特殊原稿判別基準データは、「特殊原稿」における成分属性の構成比率により規定されている。
具体的には、特殊原稿判別基準データは、「背景成分」の構成比率が「８０％〜９５％」、「印字成分」の構成比率が「５％〜１５％」、「複写成分」の構成比率が「３％〜１０％」、「対象外成分」の構成比率が「０％〜５％」に規定されている。
【００８１】
つまり、原稿種類判別処理（Ｓ１０）では、ＣＰＵ２１は、原稿に基づくカラー画像データにおける成分属性の構成比率が、特殊原稿判別基準データ（図１１参照）に規定されている各成分属性の構成比率範囲にある場合に、「当該原稿は特殊原稿である」と判別する。一方、一の成分属性の構成比率でも、特殊原稿判別基準データにおける構成比率範囲にない場合、ＣＰＵ２１は、「当該原稿は特殊原稿ではない」と判別する。
【００８２】
即ち、特殊原稿判別基準データは、原稿のカラー画像データにおける成分属性が主に「背景成分」「印字成分」「複写成分」の３つに区分されることを要求する。具体的には、特殊原稿判別基準データは、原稿に係るカラー画像データの成分属性において「少なくとも、背景成分、印字成分、複写成分の３つの成分を有すること」及び「対象外成分がほとんど存在しないこと」を要求している。
【００８３】
又、特殊原稿判別基準データは、図１１からわかるように、原稿のカラー画像データにおける成分属性の構成比率の大小関係が、原則として「背景成分」の構成比率が最も大きく、次いで「印字成分」の構成比率、「複写成分」の構成比率の順となることを要求する。
特殊原稿判別基準データを上述のように規定することにより、多機能周辺装置１は、容易且つ精度良く、当該原稿が「特殊原稿」であるか否かを判別することを可能にしている。
【００８４】
原稿種別判別処理（Ｓ１０）において、当該原稿に係るカラー画像データにおける各成分属性の構成比率と、特殊原稿判別基準データとを比較し、当該原稿の原稿種類（即ち、現在設定されている判別基準データに対応する特殊原稿であるか否か）を判別した後、ＣＰＵ２１は、Ｓ１１に処理を移行する。
【００８５】
Ｓ１１に移行すると、ＣＰＵ２１は、原稿種別判別処理（Ｓ１０）の判別結果に基づいて、当該原稿が「現在設定されている判別基準データに対応する特殊原稿」であるか否かを判定する。当該原稿が「特殊原稿」であると判別されている場合（Ｓ１１：ＹＥＳ）、ＣＰＵ２１は、カーボン原稿用ガンマテーブル２２ＣをＲＯＭ２２から読み出し、当該原稿に対する複写におけるガンマテーブルとして設定する（Ｓ１４）。つまり、カーボン原稿用ガンマテーブル２２Ｃを設定することにより（Ｓ１４）、ＣＰＵ２１は、当該原稿の複写時において、カーボン紙による転写が行われた特殊原稿に適した濃度調整を行う。その後、ＣＰＵ２１は、モノクロスキャン処理（Ｓ１５）に処理を移行する。一方、当該原稿が「現在設定されている判別基準データに対応する特殊原稿」ではないと判別されている場合（Ｓ１１：ＮＯ）、ＣＰＵ２１は、Ｓ１２に処理を移行する。
【００８６】
Ｓ１２に移行すると、ＣＰＵ２１は、判別基準データ記憶エリア２４Ａに格納されている全ての判別基準データに基づく原稿種類判別処理（Ｓ１０）を終了したか否かを判断する。全ての判別基準データに基づく原稿種類判別処理（Ｓ１０）を未だ終了していない場合（Ｓ１２：ＮＯ）、ＣＰＵ２１は、Ｓ６に処理を戻す。
この時、ＣＰＵ２１は、カラー画像データに係る各構成画素の成分属性、成分属性の計数結果、成分属性毎の構成比率等の演算結果をＲＡＭ２３から消去すると共に、判別基準データ記憶エリア２４Ａに格納され、未だ処理（Ｓ６〜Ｓ１１）に用いられていない判別基準データをセットする。
【００８７】
これにより、多機能周辺装置１は、判別基準データ記憶エリア２４Ａに記憶され、現在設定されている判別基準データと異なる判別基準データに基づく処理（Ｓ６〜Ｓ１１）を実行することができる。換言すれば、多機能周辺装置１は、当該原稿Ｇが異なる種類の特殊原稿（例えば、所定のフォーマットが予め印字され、その印字部分の色の異なる複写式帳票等）であるか否かの判断を行うことができる。
即ち、多機能周辺装置１によれば、ユーザは、判別基準データ記憶エリア２４Ａに判別基準データの登録を行うだけで、原稿Ｇに対応する判別基準データの選択設定を行うことなく、適切な濃度調整がなされたコピー結果を得ることができる。
【００８８】
一方、全ての判別基準データに基づく原稿種類判別処理（Ｓ１０）を終了している場合（Ｓ１２：ＹＥＳ）、ＣＰＵ２１は、Ｓ１３に処理を移行する。ここで、Ｓ１３に移行する場合とは、判別基準データ記憶エリア２４Ａに格納されているいずれの判別基準データにおいても、当該原稿Ｇが「特殊原稿」であると判断されなかった場合である。
Ｓ１３に移行すると、ＣＰＵ２１は、通常ガンマテーブル２２ＢをＲＯＭ２２から読み出し、当該原稿に対する複写におけるガンマテーブルとして設定する（Ｓ１３）。この場合には、当該原稿に対しては、他の原稿種類（即ち、特殊原稿を除く原稿種別）と同様に、通常ガンマテーブル２２Ｂに基づく濃度調整が行われる。その後、ＣＰＵ２１は、モノクロスキャン処理（Ｓ１５）に処理を移行する。
【００８９】
Ｓ１５においては、ＣＰＵ２１は、モノクロスキャン処理を実行する。このモノクロスキャン処理（Ｓ１５）においては、ＣＰＵ２１は、スキャナ３をモノクロモードで駆動し、原稿読取台６に載置されている原稿Ｇを本スキャンし、当該原稿Ｇからモノクロ画像データを取得する。この時、当該モノクロ画像データは、Ｓ１３又はＳ１４により設定されたガンマテーブル（つまり、通常ガンマテーブル２２Ｂ又はカーボン原稿用ガンマテーブル２２Ｃ）に基づいて、濃度調整が行われたモノクロ画像データとなる。
【００９０】
その後、Ｓ１６では、ＣＰＵ２１は、複写処理を実行する。この複写処理（Ｓ１６）においては、ＣＰＵ２１は、モノクロスキャン処理（Ｓ１５）で取得したモノクロ画像データに従って、当該原稿Ｇに基づくモノクロ画像を給紙トレイ１４から搬送される記録用紙に記録する。この複写処理（Ｓ１６）の詳細については、既に公知の処理であるため、詳細な説明を省略する。複写処理（Ｓ１６）を終了すると、ＣＰＵ２１は、特殊原稿複写・登録処理プログラムを終了する。
【００９１】
次に、ユーザがユーザ独自の判別基準データの登録を希望し（Ｓ１：ＹＥＳ、Ｓ２）、ＲＡＭ２３に「登録フラグ」が格納されている場合（Ｓ９：ＹＥＳ）に移行する判別基準データ生成処理（Ｓ１７）について説明する。
【００９２】
この場合において、原稿読取台６には、ユーザが登録しようとしている「特殊原稿」が原稿Ｇとしてセットされている。従って、この場合において、カラープレスキャン処理（Ｓ３）で取得されるカラー画像データは、必ず「背景成分」「印字成分」「複写成分」に属する画素が所定の割合（即ち、特殊原稿判別基準データに規定されている割合）で含まれている。
【００９３】
判別基準データ生成処理（Ｓ１７）に移行すると、ＣＰＵ２１は、カラープレスキャン処理（Ｓ３）で取得されたカラー画像データを各画素の「Ｒ値」「Ｇ値」「Ｂ値」を参照し、「Ｒ値」「Ｇ値」「Ｂ値」の傾向（即ち、画素の呈する色の傾向）が同じ画素をグループ分けする。上述したように、原稿Ｇが「特殊原稿」であることが前提となるので、当該カラー画像データからは、原則的に４つのグループにグループ分けされる。
そして、ＣＰＵ２１は、当該グループ分けの結果に基づいて、各グループを構成する画素の数を計数し、各グループの構成比率を算出する。
【００９４】
各グループの構成比率を算出すると、ＣＰＵ２１は、特殊原稿判別基準データ記憶エリア２４Ｂから特殊原稿判別基準データを読み出し、特殊原稿判別基準データにおける各成分属性の構成比率と、各グループの構成比率を比較し、各グループが該当する成分属性を特定する。
例えば、或るグループの構成比率が「８２％」である場合には、ＣＰＵ２１は、当該グループの成分属性を「背景成分」に特定する。
【００９５】
各グループの成分属性を、夫々「背景成分」「印字成分」「複写成分」「対象外成分」に特定した後、ＣＰＵ２１は、各グループに属する画素の「Ｒ値」「Ｇ値」「Ｂ値」に基づいて、「背景成分判別基準データ」「印字成分判別基準データ」「複写成分判別基準データ」を生成する。
例えば、「印字成分判別基準データ」を生成する場合、ＣＰＵ２１は、「印字成分」に特定されたグループを構成する画素の「Ｒ値」「Ｇ値」「Ｂ値」の平均値を算出する。そして、ＣＰＵ２１は、算出した「Ｒ値の平均値」「Ｇ値の平均値」「Ｂ値の平均値」を基準に、各平均値の１０％前後に相当する値を、印字成分判別基準データを構成する「Ｒ値」「Ｇ値」「Ｂ値」の閾値に設定する。尚、「背景成分判別基準データ」「複写成分判別基準データ」についても同様の処理が行われる。
【００９６】
これにより、ユーザが登録を希望している特殊原稿についての「背景成分判別基準データ」「印字成分判別基準データ」「複写成分判別基準データ」が生成されるので、ＣＰＵ２１は、これらを組み合わせた判別基準データを生成することができる。この特殊原稿である原稿Ｇに基づく判別基準データを生成した後、ＣＰＵ２１は、判別基準データ登録処理（Ｓ１８）に処理を移行する。
【００９７】
判別基準データ登録処理（Ｓ１８）に移行すると、ＣＰＵ２１は、ＬＣＤ４１に、判別基準データ確認画面を表示する（図１２参照）。
この判別基準データ確認画面には、生成された判別基準データを構成する「背景成分判別基準データ」「印字成分判別基準データ」「複写成分判別基準データ」の内容が表示される。具体的に図１２に示す例では、生成された判別基準データを構成する「印字成分判別基準データ」を示す表示がなされており、当該「印字成分判別基準データ」における「Ｒ値」「Ｇ値」「Ｂ値」の設定（即ち、閾値）が表示される。ここで、各帯状グラフ中における太い縦線が「Ｒ値」「Ｇ値」「Ｂ値」の平均値を示しており、当該太い縦線の左右に位置する細い縦線が、上記「１０％前後に相当する値」を示している。
【００９８】
ここで、図１２に示すように、判別基準データ確認画面には、選択肢「背景成分」と、選択肢「複写成分」とが表示されている。これらの選択肢を選択することにより、判別基準データ確認画面に、「背景成分判別基準データ」の内容又は「複写成分判別基準データ」の内容を表示することができる。又、当該選択肢を選択することで、判別基準データ確認画面の表示内容を切り換えた場合、これらの選択肢（即ち、「背景成分」等）は、現在内容が表示されていない他の成分を示す選択肢に適宜変更される。例えば、「背景成分判別基準データ」の内容が判別基準データ確認画面に表示されている場合、これらの選択肢として、選択肢「印字成分」、選択肢「複写成分」が表示されることになる。
【００９９】
そして、図１２に示すように、判別基準データ確認画面には、選択肢「決定」と選択肢「消去」が表示される。ユーザの操作キー４０における選択操作により、選択肢「消去」が選択された場合、ＣＰＵ２１は、判別基準データ生成処理（Ｓ１７）で生成した判別基準データをＲＡＭ２３から消去する。一方、ユーザによる選択操作の結果、選択肢「決定」が選択された場合、ＣＰＵ２１は、判別基準データ生成処理（Ｓ１７）で生成した判別基準データをＲＡＭ２３から読み出し、当該判別基準データを判別基準データ記憶エリア２４Ａに格納する。
生成した判別基準データの判別基準データ記憶エリア２４Ａへの格納又は当該判別基準データの消去が行われた後、ＣＰＵ２１は、特殊原稿複写・登録処理プログラムを終了する。
【０１００】
判別基準データが予め記憶されていないような特殊原稿について、新たに判別基準データを登録することにより、登特殊原稿複写・登録処理プログラムに基づいて、登録した判別基準データに係る原稿Ｇの複写を行うと、当該原稿Ｇは、適切な濃度調整が施されて複写されることになる。
即ち、多機能周辺装置１は、判別基準データ記憶エリア２４Ａに存在しない態様の特殊原稿であっても、当該特殊原稿に係る判別基準データの登録を受け付けることができる。そして、ユーザ登録に係る判別基準データが用いられることにより、多機能周辺装置１は、多様な特殊原稿について適切な濃度調整が施された複写物をユーザに提供しうる。
【０１０１】
以上説明したように、本実施形態に係る多機能周辺装置１及び特殊原稿複写・登録プログラムによれば、原稿Ｇに基づくカラー画像データの色データ（「Ｒ値」「Ｇ値」「Ｂ値」）に基づいて、当該原稿Ｇが「特殊原稿」であるか否かを判断するので（Ｓ３〜Ｓ１０）、一般的な特殊原稿（例えば、複写式帳票）も確実に原稿の種類を判別できる。その結果、多機能周辺装置１は、一般的な特殊原稿に対しても適宜濃度調整を行うことができ（Ｓ１４）、もって、ユーザに良好なコピー結果を提供しうる（Ｓ１６）。
【０１０２】
そして、多機能周辺装置１は、カラー画像データを構成する画素の色データ（「Ｒ値」「Ｇ値」「Ｂ値」）と、背景成分判別基準データ、印字成分判別基準データ、複写成分判別基準データ（図９参照）と、を夫々比較することで、当該対象画素の成分属性（「背景成分」「印字成分」「複写成分」「対象外成分」）を検出する（Ｓ６）。そして、多機能周辺装置１は、「Ｒ値」「Ｇ値」「Ｂ値」の比較結果（Ｓ６〜Ｓ１０）に基づいて、特殊原稿を判別するので、比較的簡単な処理により、「特殊原稿」を認識し得る。
【０１０３】
又、多機能周辺装置１では、図８に示すように、判別基準データ記憶エリア２４Ａに、複数種類の判別基準データ（「判別基準データ（Ａ）」、「判別基準データ（Ｂ）」等）を格納している。即ち、当該多機能周辺装置１は、多様な種類（例えば、所定のフォーマットが予め印字され、その印字部分の色の異なる複写式帳票等）の特殊原稿を判別することができ、様々な特殊原稿に対する適切な濃度調整を行い得る。
【０１０４】
そして、多機能周辺装置１は、カラー画像データを構成する画素を各画素の成分属性毎に計数し（Ｓ７）、当該計数結果に基づく成分属性の構成比率に基づいて、当該原稿が特殊原稿であるか否かを判別する（Ｓ１０）。これにより、多機能周辺装置１は、「特殊原稿」の判別を、より精度良く行うことができる。
【０１０５】
そして、多機能周辺装置１の特殊原稿判別基準データは、成分属性の構成比率の大小関係が、原則として「背景成分」の構成比率が最も大きく、次いで「印字成分」の構成比率、「複写成分」の構成比率の順となるように規定されている。この構成比率の大小関係は、「特殊原稿」の一般的な構成比率の傾向に合致している。従って、多機能周辺装置１は、特殊原稿判別基準データを用いることにより、より精度良く「特殊原稿」を判別しうる。
【０１０６】
更に、多機能周辺装置１は、原稿種類判別処理（Ｓ１０）において、当該原稿が特殊原稿判別基準データにおける「対象外成分」の条件を満たさない場合、当該原稿を「特殊原稿ではない」と判別する。これにより、特殊原稿とは異なる種類の原稿（例えば、写真画像を含む原稿）を容易且つ確実に判別することができる。
【０１０７】
そして、多機能周辺装置１は、判別基準データ生成処理（Ｓ１７）、判別基準データ登録処理（Ｓ１８）を実行することにより、判別基準データのユーザ登録が可能である。これにより、多機能周辺装置１は、判別基準データ記憶エリア２４Ａに判別基準データが記憶されていないような特殊原稿であっても、特殊原稿として判別することができる。つまり、多機能周辺装置１は、判別基準データが予め記憶されていないような特殊原稿についても濃度調整を的確に行い、良好なコピー結果をユーザに提供し得る。
【０１０８】
以上実施形態に基づき本発明を説明したが、本発明は上記実施形態に何ら限定されるものでなく、本発明の趣旨を逸脱しない範囲内で種々の改良変形が可能であることは容易に推察できるものである。
【０１０９】
例えば、本実施形態においては、ユーザが所有する特殊原稿に対する判別基準データを登録する際に、判別基準データ確認画面（図１２参照）において、選択肢「決定」又は選択肢「消去」の選択のみを可能なように構成していたが、この態様に限定するものではない。例えば、操作キー４０により、「Ｒ値」「Ｇ値」「Ｂ値」の閾値を入力することにより、判別基準データ生成処理（Ｓ１７）で生成された判別基準データの内容を適宜修正し得るように構成することも可能である。
【０１１０】
又、本実施形態においては、ユーザが所有する特殊原稿に対する判別基準データを登録する際に、カラープレスキャン処理（Ｓ３）で取得されたカラー画像データに基づく「Ｒ値」「Ｇ値」「Ｂ値」により、判別基準データを生成するように構成していたが、この態様に限定するものではない。
例えば、ユーザが操作キー４０を操作し、「背景成分判別基準データ」「印字成分判別基準データ」「複写成分判別基準データ」に係る「Ｒ値」「Ｇ値」「Ｂ値」の閾値を直接入力することで、判別基準データを生成するように構成することも可能である。
【０１１１】
具体的には、判別基準データ生成処理（Ｓ１７）において、ＬＣＤ４１に、図１２に示す表示を行い、ユーザによる操作キー４０の操作に応じて、「背景成分判別基準データ」「印字成分判別基準データ」「複写成分判別基準データ」に係る「Ｒ値」「Ｇ値」「Ｂ値」の閾値を決定する。
この場合において、ＬＣＤ４１には、決定された「Ｒ値」「Ｇ値」「Ｂ値」の閾値に基づく「色」の表示を同じ画面上で行うことが望ましい。このように構成することにより、ユーザは、自らが所持する特殊原稿の色と、自らが設定した内容が示す「色」を比較することができる。これにより、手動で判別基準データを登録する場合であっても、ユーザは、より精度良く「特殊原稿」を判別可能な判別基準データを、多機能周辺装置１の判別基準データ記憶エリア２４Ａに登録し得る。
【０１１２】
更に、本実施形態においては、判別基準データ記憶エリア２４Ａに格納されている全ての判別基準データに関する処理（Ｓ６〜Ｓ１１）を実行可能なように構成しているが、この態様に限定するものではない。即ち、ユーザが、判別基準データ記憶エリア２４Ａに格納されている判別基準データから、原稿Ｇに対応する判別基準データを自らセットするように構成することも可能である。
この場合、ユーザが原稿Ｇに対応する判別基準データを選択設定する際には、ＬＣＤ４１に、ユーザが設定しようとしている判別基準データの内容が表示されることが望ましい。例えば、図１２に示すような表示をＬＣＤ４１に行うことにより、ユーザは、原稿Ｇと、選択しようとしている判別基準データの内容を比較することができ、適切な判別基準データを選択することができる。
【０１１３】
そして、本実施形態では、多機能周辺装置における処理について説明したが、スキャナ３を備えた、コピー装置や、ファクシミリ装置などの単機能の装置における処理としてもよい。
【０１１４】
また、本実施形態では、スキャナ３により読み込まれ、濃度調整されたモノクロ画像データは、プリンタ２に送信されるものとしたが、ファクシミリ送信により他のファクシミリ装置や多機能周辺装置に送信されても良い。この点、当該モノクロ画像データを、パーソナルコンピュータに送信するように構成することも可能である。
【図面の簡単な説明】
【０１１５】
【図１】本実施形態に係る多機能周辺装置の外観斜視図である。
【図２】原稿カバーを開いた状態の多機能周辺装置を示す外観斜視図である。
【図３】スキャナの構成を概略的に示す正面断面図である。
【図４】本実施形態に係る多機能周辺装置の制御系を示すブロック図である。
【図５】特殊原稿の一具体例を示す説明図である。
【図６】本実施形態に係る特殊原稿複写・登録処理プログラムのフローチャートである。
【図７】色データ取得処理で取得される色データ（「Ｒ値」「Ｇ値」「Ｂ値」のヒストグラム）の一例を示す説明図である。
【図８】判別基準データ記憶エリアの構成及び記憶内容に関する説明図である。
【図９】判別基準データの内容を示す一具体例に関する説明図である。
【図１０】原稿種類判別処理時における成分属性毎の構成比率又は構成画素数計数結果の一例を示す説明図である。
【図１１】特殊原稿判別基準データ記憶エリアに記憶される特殊原稿判別基準データの内容を示す説明図である。
【図１２】ＬＣＤに表示される判別基準データ確認画面を示す説明図である。
【符号の説明】
【０１１６】
１      多機能周辺装置
３      スキャナ
２１    ＣＰＵ
２２    ＲＯＭ
２３    ＲＡＭ
２３Ａ  画像メモリ
２４    ＥＥＰＲＯＭ
２４Ａ  判別基準データ記憶エリア
２４Ｂ  特殊原稿判別基準データ記憶エリア
【図１】
2008252720.tif 000003
【図２】
2008252720.tif 000004
【図３】
2008252720.tif 000005
【図４】
2008252720.tif 000006
【図５】
2008252720.tif 000007
【図６】
2008252720.tif 000008
【図７】
2008252720.tif 000009
【図８】
2008252720.tif 000010
【図９】
2008252720.tif 000011
【図１０】
2008252720.tif 000012
【図１１】
2008252720.tif 000013
【図１２】
2008252720.tif 000014